(57)【要約】【課題】タブに対応するＷＥＢページ複数を一括表示する際に、ユーザが見やすいものとする。【解決手段】一括表示の際のＷＥＢページのウィンドウサイズを手動操作および／または自動で指示し、また、ウィンドウ内で表示するコンテンツをも手動操作および／または自動で指示する。タブブラウザは指示されたウィンドウサイズおよびコンテンツでの一括表示を行なう。【選択図】図３
2007122380.tif 000002
【特許請求の範囲】
【請求項１】
コンピュータの情報処理手段によりタブブラウザ用のプログラムを実行することより複数のＷＥＢページを前記コンピュータの表示手段に表示するタブブラウザの表示方法であって、前記コンピュータはウィンドウサイズ指示手段、コンテンツ指示手段および記憶手段とを有し、
前記ウィンドウサイズ指示手段により一括表示に使用する各ＷＥＢページのウィンドウサイズを指示し、
各前記ウィンドウ内で表示すべきコンテンツを前記コンテンツ指示手段により指示し、
各前記ウィンドウサイズにより指示されたサイズの１画面分の複数のウィンドウイメージを前記情報処理手段により前記記憶手段上で作成し、
前記コンテンツ指示手段により指示された複数のコンテンツのイメージを前記記憶手段上の複数のウィンドウイメージ内に挿入するように前記情報処理手段により合成することを特徴とするタブブラウザの一括表示方法。
【請求項２】
前記ウィンドウサイズ指示手段により指示されたウィンドウのサイズから定まる比率で変倍前のコンテンツのイメージを変倍することにより、前記ウィンドウのイメージ内に挿入するコンテンツのイメージを前記情報処理手段により作成することを特徴とする請求項１に記載のタブブラウザの一括表示方法。
【請求項３】
前記コンピュータは変倍率指示手段をさらに有し、該変倍率指示手段により指示された変倍率で変倍前のコンテンツのイメージを変倍することにより前記ウィンドウのイメージ内に挿入するコンテンツのイメージを前記情報処理手段により作成することを特徴とする請求項１に記載のタブブラウザの一括表示方法。
【請求項４】
変倍前のコンテンツのイメージを前記情報処理手段により試行錯誤的に繰り返し、変倍し、前記ウィンドウサイズ指示手段により指示されたサイズ内に収まるコンテンツのイメージを前記情報処理手段により作成することを特徴とする請求項１に記載のタブブラウザの一括表示方法。
【請求項５】
前記コンテンツ指示手段は表示すべきコンテンツの種類を指定することにより前記ウィンドウ内に表示すべきコンテンツを指示することを特徴とする請求項１乃至３のいずれかに記載のタブブラウザの一括表示方法。
【請求項６】
前記ＷＥＢページの中に前記ウィンドウ内に挿入すべきコンテンツに関する識別情報が記載されており、前記コンテンツ指示手段は当該識別情報を前記ＷＥＢページから読み取ることにより指示すべきコンテンツに関する識別情報を入手することを特徴とする請求項１乃至５のいずれかに記載のタブブラウザの一括表示方法。
【請求項７】
前記ウィンドウ内に挿入するコンテンツに関する識別情報はＵＲＬ情報の中に含まれており、前記コンテンツ指示手段に該ＵＲＬ情報を引き渡すことを特徴とする請求項１乃至６のいずれかに記載のタブブラウザの一括表示方法。
【請求項８】
前記識別情報の中には、一括表示の際のコンテンツのウィンドウ上の配置位置を示す位置情報をさらに含むことを特徴とする請求項７に記載のタブブラウザの一括表示方法。
【請求項９】
前記ウィンドウ内で表示するコンテンツの位置を指示するコンテンツ位置指示手段をさらに有し、該コンテンツ位置指示手段により指示された位置にコンテンツのイメージを挿入するように前記情報処理手段は合成することを特徴とする請求項１に記載のタブブラウザの一括表示方法。
【発明の詳細な説明】
【技術分野】
【０００１】
本発明は、タブブラウザのＷＥＢページ一括表示方法に関する。
【背景技術】
【０００２】
インターネットの情報処理技術の発展にともなって、タブブラウザと呼ばれるＷＥＢページを表示するプログラムが提案されている（非特許文献１）。一般に知られているタブブラウザにはＯｐｅｒａ  Ｓｏｆｔｗａｒｅ社のＯｐｅｒａ（登録商標）などが有名である。
【０００３】
タブブラウザにより複数のＷＥＢページの１つを他のＷＥＢページに切り替え表示するる際にユーザがタブと呼ばれるグラフィカルユーザインターフェース（図２の符号２２）をマウスで指定してクリックボタンを操作する。タブブラウザはそのタブに対応付けられているＷＥＢページ２３をディスプレイの表示領域２４に単独表示する。
【０００４】
【非特許文献１】ＩＴ用語辞典ｅ−ｗｏｒｄｓ、http://e-words.jp/w/E382BFE38396E38396E383A9E382A6E382B6.html
【発明の開示】
【発明が解決しようとする課題】
【０００５】
タブの切り替えにより複数のＷＥＢページを切り替えて表示するようになったものの、複数のＷＥＢページを一括して１つの画面表示する要望がユーザからあがっている。複数のコンテンツを１つの画面に一括する事例としては静止画像がよく知られている。静止画像を一括表示する場合には、オリジナル（縮小前の画像）を一定の比率で縮小し、縮小した複数の静止画像を一括表示している。このように一括表示される画像群はサムネイルと呼ばれる。
【０００６】
このような表示方法をタブブラウザで実行しようとすると、ＷＥＢページ内の複数のコンテンツの大きさの相対的なバランスがくずれる。たとえば、静止画像と文字がＷＥＢページ内に混在する場合、縮小の静止画像の内容はユーザが認知可能であるが文字は小さくなってしまって、認知できないというような事態が生じる。また、一定比率で全てのＷＥＢページを縮小すると、あるＷＥＢページは見やすいが、別のＷＥＢページは見にくいといった事態も生じることが予想される。
【０００７】
そこで、本発明の目的は、上述の点を考慮し、ユーザが見やすいタブブラウザの一括表示方法を提供することにある。
【課題を解決するための手段】
【０００８】
このような目的を達成するために、本発明は、コンピュータの情報処理手段によりタブブラウザ用のプログラムを実行することより複数のＷＥＢページを前記コンピュータの表示手段に表示するタブブラウザの表示方法であって、前記コンピュータはウィンドウサイズ指示手段、コンテンツ指示手段および記憶手段とを有し、
前記ウィンドウサイズ指示手段により一括表示に使用する各ＷＥＢページのウィンドウサイズを指示し、
各前記ウィンドウ内で表示すべきコンテンツを前記コンテンツ指示手段により指示し、
各前記ウィンドウサイズにより指示されたサイズの１画面分の複数のウィンドウイメージを前記情報処理手段により前記記憶手段上で作成し、
前記コンテンツ指示手段により指示された複数のコンテンツのイメージを前記記憶手段上の複数のウィンドウイメージ内に挿入するように前記情報処理手段により合成することを特徴とする。
【発明の効果】
【０００９】
本発明によれば、タブに対応するウィンドウのサイズおよびそのウィンドウ内に表示するコンテンツを選択することができるので、一括表示される複数のＷＥＢページの各々がユーザにとって見やすいものとなる。
【発明を実施するための最良の形態】
【００１０】
以下、図面を参照して本発明の実施形態を詳細に説明する。
【００１１】
図１は本発明を適用するコンピュータシステムの全体構成を示す。
【００１２】
図１において、１００はパーソナルコンピュータ（以下、パソコン）であり、市販のパソコンを使用することができる。パソコンは、ハーディディスク、ＣＰＵ、ＲＯＭ、ＲＡＭ、ディスプレイ、キーボードおよびマウスなどのポインティングディバイスを有する。本発明に係わるタブブラウザ用プログラム（以下、タブブラウザ）は、ＣＤＲＯＭやフロッピー（登録商標）ディスクあるいはインターネットを通じて外部からパソコン１００のハーディスク上に記憶される。この後マウスなどの指示に応じて、ＲＡＭ上にロードされてＣＰＵにより実行される。
【００１３】
１１０は一般公衆電話回線であり、パソコン１００と、プロバイダ（インターネット接続業者）の通信サーバ１２０とを接続する。
【００１４】
１２０は、通信サーバであり、この形態では、ＷＷＷ（Ｗｏｒｌｄ  Ｗｉｄｅ  Ｗｅｂ）と呼ばれる通信プロトコルを使用して、後述のＷＥＢサーバ１４０からＷＥＢページをパソコン１００に転送する。
【００１５】
１３０はインターネットと呼ばれる専用電話回線であり、詳細な説明を要しないであろう。１４０は複数のパソコン１００に提供するＷＥＢページを提供するＷＥＢサーバであり、市販のサーバコンピュータを使用することができる。
【００１６】
ＷＥＢページはＨＴＭＬやＸＭＬと呼ばれるマークアップランゲージで記載された文書であり、この文書をパソコン１００側のタブブラウザ（一般的にはブラウザやビューワと呼ばれるソフト）が解析し、ＷＥＢページに記載されている種々の命令をパソコン１００のＣＰＵが実行して、ＷＥＢで定義されたコンテンツ（ビデオ、静止画、文字列などを総称する用語）をパソコン１００のディスプレイの表示画面に表示する。
【００１７】
この形態ではプロバイダの通信サーバ１２０が複数のパソコン１００をインターネット１３０に接続しているが、プロバイダに限らず、企業の通信サーバがパソコン１００をインターネット１３０に接続する場合もある。この場合には通信サーバ１２０とパソコン１００を接続する通信ネットワークは一般公衆電話回線ではなく、ＬＡＮ（広域ネットワーク）となるであろう。パソコン１００の設置環境に応じて、インターネット１３０に接続するための通信ネットワークおよび間で仲介するハードウェアは適宜、好適なものを使用すればよい。
【００１８】
本発明に係わるタブブラウザを説明する前に、タブブラウザにより表示する表示画面の内容を説明する。図２は本発明実施形態のＷＥＢページの一括表示前の表示例を示す。図３は本発明実施形態のＷＥＢページの一括表示後の表示例を示す。図２および図３において、同様の箇所には同一の符号を付している。図２および図３において、２１は本発明に係わるＷＥＢページの一括表示を指示するボタンである。ここでボタンとはマウスの操作により押下されると、ボタンに関連付けられたプログラムを実行するグラフィカルユーザインターフェースである。
【００１９】
２２はタブであり、複数のタブ２２のいずれかをユーザがマウスにより指示すると、指示されたタブに対応するＷＥＢページ２３が図２に示すように単独で表示される。ユーザが見たいＷＥＢページについて、タブの作成を命じたときに、新しいタブ２２が追加される。この機能は従来からタブブラウザが有している機能であり、詳細な説明は省略する。
【００２０】
２４はＷＥＢブラウザを表示するための領域である。３１は一括表示されるときのＷＥＢページであり、図２のように単独で表示されるときのＷＥＢブラウザと区別するために本明細書では一括表示のＷＥＢブラウザを分割ページと称することがある。３２は分割ページを表示するウィンドウであり、一括表示の際には各分割ページに対応するウィンドウ３２が作成される。なお、分割ページが１つのウィンドウ内に収まりきれない場合には、スクロールバーがウィンドウ３２に表示され、このスクロールバーにより移動（スクロール）表示が可能となる（注．従来技術）。
【００２１】
本実施形態では、複数のタブ２２と対応付けられた複数のＷＥＢページを図３に示すように一括表示する際に、分割ＷＥＢページがユーザにとって見やすいものとなるように種々の工夫を凝らしている。その工夫を実現するための情報処理方法が本発明の新規特徴である。これらの新規特徴は、後で、詳しく説明する。
【００２２】
図４は本発明実施形態の、タブブラウザを搭載したパソコンの、特に本発明に係わる機能構成を示す。
【００２３】
図４において、コンピュータ（パソコン１００）の情報処理手段２２０（ＣＰＵ）によりタブブラウザ用のプログラムを実行することより複数のＷＥＢページをコンピュータの表示手段２４０（パソコンのディスプレイ）に表する。上記コンピュータは（分割）ウィンドウサイズ指示手段２００、（表示）コンテンツ指示手段２１０、変倍率指示手段２５０、コンテンツ位置指示手段２６０および記憶手段２３０（パソコンのＲＡＭ）を有する。なお、変倍率指示手段２５０およびコンテンツ位置指示手段２６０は必要に応じて設置すればよい。
【００２４】
ウィンドウサイズ指示手段２００により一括表示に使用する各ＷＥＢページのウィンドウサイズを指示し、各前記ウィンドウ内で表示すべきコンテンツをコンテンツ指示手段２１０により指示する。
【００２５】
変倍率指示手段２５０により、一括表示時のコンテンツの大きさの単独表示時のコンテンツの大きさに対する変倍率を指示する。なお、コンテンツについての変倍率として、ＷＥＢページの大きさの変倍率兼用してもよい。
【００２６】
コンテンツ位置指示手段２６０により一括表示時のコンテンツのウィンドウ中の位置（ＷＥＢページ中の位置としてもよい）を指示する。
【００２７】
各前記ウィンドウサイズにより指示されたサイズの１画面分の複数のウィンドウイメージを情報処理手段２２０により変倍し、記憶手段２３０上で作成し、コンテンツ指示手段２１０により指示された複数のコンテンツのイメージを情報処理手段２２０により変倍し、記憶手段２６０上の複数のウィンドウイメージ内に、コンテンツ位置指示手段２６０により指示された位置に挿入することで情報処理手段２２０により一括表示用のイメージを合成する。
【００２８】
ウィンドウサイズ指示手段２００、コンテンツ指示手段２１０、変倍率指示手段２５０およびコンテンツ位置指示手段２６０には種々の実施形態が考えられるので、以下に、各実施形態を説明する。
【００２９】
（ウィンドウサイズ指示手段の実施形態１）
本発明の新規特徴の１つは一括表示する際の分割ページを表示するための各ウィンドウのサイズをそれぞれ指示することにある。その指示の方法としては、１つには、ＷＥＢサーバ１４０に保存するＷＥＢページ内に、一括表示の際のウィンドウのサイズ（縦および横の長さ）をＷＥＢページ内の特定位置または特定命令内に記載しておく。タブブラウザがＷＥＢサーバ１４０のＷＥＢページを読み込んだ際に、ＷＥＢページから取得したウィンドウのサイズをそのＷＥＢのＵＲＬと共に、パソコンのＲＡＭ上にテーブル形態で記憶する。一括表示を行なうときにパソコン１００のＣＰＵはＲＡＭ上に記憶されたテーブルから該当するＷＥＢページのウィンドウサイズを指示することになる。このときのＣＰＵがウィンドウサイズ指示手段２００として機能する。
【００３０】
この形態の利点は、ユーザではなく、ＷＥＢサーバを提供する側が、一括表示のウィンドウサイズを決定することができる点にある。
【００３１】
（ウィンドウサイズ指示手段の実施形態２）
ウィンドウサイズの指示のための他の形態としては、たとえば、タブブラウザの製作会社のサーバから、メンテナンス情報として、複数のＷＥＢページのウィンドウサイズおよびＵＲＬを記載した情報をパソコン１００に送ることが可能である。送信方法としては、電子メールを使用してもよいし、他の従来から知られている通信方法を採用すればよい。このようにして、ウィンドウサイズ指示手段２００（パソコン１００のＣＰＵ）は指示すべきウィンドウサイズを取得する。
【００３２】
（ウィンドウサイズ指示手段の実施形態３）
ＵＲＬ情報の中にウィンドウサイズを含ませて、タブブラウザに引き渡すことができる。タブブラウザでＷＥＢページを表示する場合、ユーザは、たとえば、http:.//www.AAAA.comというＵＲＬ情報をキーボード等により入力して表示すべきＷＥＢページのＵＲＬ情報を引き渡す。このＵＲＬ情報の中に、http:.//www.AAAA.com／ＸＸＸＸというようにウィンドウサイズと特定のコマンドとを組み合わせた識別情報ＸＸＸＸを含ませることにより、一括表示で使用するウィンドウサイズをタブブラウザに引き渡すことができる。
【００３３】
また、識別情報ＸＸＸＸの中には、ウィンドウの中に配置するコンテンツの位置（ウィンドウに対するコンテンツの相対位置）を示す位置情報を含ませることができる。このように、コンテンツの位置をＷＥＢページ制作者側で指定することにより、ユーザにとって見やすいコンテンツあるいは、ＷＥＢページ制作者にとって好適なコンテンツを提供することができる。
【００３４】
この方法の利点は、たとえば、電子メールで、ＵＲＬ情報をユーザに知らせることが可能となるほか、種々のＷＥＢサイトにＷＥＢページのＵＲＬ情報として掲載することができる点にある。
【００３５】
（ウィンドウサイズ指示手段の実施形態４）
パソコン１００のユーザが手動操作でウィンドウサイズを入力してもよい。この場合には、たとえば、タブブラウザの環境設定画面（不図示）に一括表示時のウィンドウサイズの設定メニューを設ける。この場合には、ＵＲＬとそのＵＲＬにより示されるＷＥＢページのユーザが好むウィンドウサイズをユーザがキーボード等により入力する。入力されたＵＲＬおよびウィンドウサイズはパソコンのハードディスクに保存記憶しておき、一括表示の際に、ＣＰＵにより読み取り使用すればよい。このときのＣＰＵがウィンドウサイズ指示手段２００として機能する。
【００３６】
（ウィンドウサイズ指示手段の実施形態５）
上述の形態は、ユーザまたは外部機器からウィンドウサイズ指示手段２００がウィンドウサイズを取得する例である。タブブラウザを実行するＣＰＵがタブ数（一括表示するＷＥＢページの個数）に応じて、ウィンドウサイズを計算することもできる。この場合には、図５に示すように一括表示領域の大きさ（Ｗ１，Ｌ１）とタブ数から各ウィンドウサイズ（Ｗ２，Ｌ１）を求める計算式をタブブラウザ内で定義しておけばよい。また、計算式に変わり、タブ数と、ウィンドウサイズとをテーブルの形態で予め定めておいてもよい。パソコン１００のＣＰＵは計算あるいはテーブルの読み取りにより指示すべきウィンドウサイズを取得する。
【００３７】
次に、コンテンツ指示手段２１０の種々の形態を説明する。
【００３８】
上述したように一括表示の際に各ＷＥＢページのウィンドウサイズを指示することに加えて、各ウィンドウ内に表示するコンテンツを指示することが本発明の第２の新規特徴である。この新規特徴によりユーザにとって不要な情報が表示されず、ＷＥＢページが見やすいものとなる。
【００３９】
（コンテンツ指示手段の実施形態１）
ＷＥＢサーバ１４０に保存しておくＷＥＢページ内に一括表示するコンテンツを示す指示情報（本発明の識別情報）を記載しておく。この情報としては、  
（１）コンテンツの種類、たとえば、ビデオ、静止画文字列などの種類を示すファイル識別子をＷＥＢページ内の特定位置あるいは特定命令内に記載しておく。  
（２）コンテンツの格納場所を示すＵＲＬをＷＥＢページ内の特定位置あるいは特定命令内に記載しておく。
【００４０】
パソコン１００側のＣＰＵはＷＥＢサーバ１４０から読み込んだＷＥＢページから、一括表示に使用するコンテンツに関する情報をこれらの指示情報から読み取る。ファイル識別子を指示情報として使用する場合には、パソコン１００のＣＰＵは指示情報の示す種類のファイル情報（ファイルの格納場所を示すＵＲＬ情報）を検索によりＷＥＢページの中から取り出し、ＵＲＬの示すＷＥＢサーバ１４０あるいは他のＷＥＢサーバ１４０の格納場所から一括表示に使用するコンテンツを取り込む。取り込まれたコンテンツは、ウィンドウサイズ指示手段２００により指示されたウィンドウサイズ内に収まるようにそのイメージが圧縮または拡大（一般に双方を総称して変倍と称する）されて、一括表示に使用される。このときのパソコン１００のＣＰＵがコンテンツ指示手段２１０として機能する。
【００４１】
このような指示方法をとることにより、たとえば、映画会社のＷＥＢサーバ１４０では、ＷＥＢページをパソコン１００で単独で表示する時には、映画の予告ビデオ、映画のタイトル、映画のワンシーンの静止画、映画の説明文（出演者等）を表示させ、一括表示の際には、映画のワンシーンの静止画と大きな文字サイズのタイトルだけを表示さることができる。一括表示では文字が小さくなってしまうような説明文が表示されず、一括表示のＷＥＢページがユーザにとって見やすいものとなる。
【００４２】
（コンテンツ指示手段の実施形態２）
ウィンドウサイズの指示のための他の形態としては、たとえば、タブブラウザの製作会社のサーバから、メンテナンス情報として、複数のＷＥＢページについて各ＷＥＢページの中の一括表示で使用するコンテンツを示す識別情報（ファイルの種類および／またはＵＲＬ）をパソコン１００に送ることが可能である。送信方法としては、電子メールを使用してもよいし、他の従来から知られている通信方法を採用すればよい。このようにして、コンテンツ指示手段２１０（パソコン１００のＣＰＵ）は指示すべきコンテンツに関する識別情報を取得する。
【００４３】
（コンテンツ指示手段の実施形態３）
パソコン１００のユーザが手動操作で一括表示に使用するコンテンツの種類を入力してもよい。この場合には、たとえば、タブブラウザの環境設定画面に一括表示時のウィンドウサイズの設定メニューを設ける。この場合には、一括表示で使用するファイル識別子とＷＥＢページのＵＲＬをユーザがキーボード等により入力する。入力されたＵＲＬおよびファイルの種類はパソコンのハードディスクに保存記憶しておき、一括表示の際に、パソコン１００のＣＰＵにより読み取り使用すればよい。このときのＣＰＵがコンテンツ指示手段２１０として機能する。
【００４４】
また、上述以外にもウィンドウサイズ指示手段２００への情報の引渡し方法と同様の方法でコンテンツ指示手段２１０に指示情報を引き渡しても良いことは言うまでもないであろう。ＵＲＬの中に一括表示で使用するコンテンツを示す識別情報を含ませておき、このＵＲＬをコンテンツ指示手段２１０に引き渡す形態を特許請求している点に留意されたい。
【００４５】
以上が、ウィンドウサイズ指示手段２００およびコンテンツ指示手段２１０の例であるが、これらの例を組み合わせ用いてもよい。たとえば、パソコン１００で、ウィンドウサイズを自動決定した後、ユーザが好みのウィンドウサイズに変更可能なようにすることが考えられる。
【００４６】
（変倍率指示手段およびコンテンツ位置指示手段の実施形態）
変倍率指示手段２５０（パソコン１００のＣＰＵ）に引き渡す変倍率およびコンテンツ位置指示手段２６０（パソコン１００のＣＰＵ）に引き渡すウィンドウ中のコンテンツの位置情報についても、ウィンドウサイズ指示手段２００およびコンテンツ指示手段の実施形態で説明した方法と同じ種々の方法で変倍率および一括表示時のコンテンツの位置情報を対応の指示手段に引き渡す。これらの説明は重複的になるので、詳細な説明を省略する。
【００４７】
次に上述した本発明に係わる一括表示機能を実現するための情報処理内容を図６を使用して説明する。図６に示す処理手順は、タブブラウザ内にコンピュータが実行可能なプログラム言語の形態で組み込まれる。
【００４８】
図６の処理手順は図２の一括表示指示ボタン２１がユーザにより操作されたときに実行される。図６において、パソコン１００のＣＰＵ（以下、パソコン１００内の構成要素についてはパソコン１００の表記を省略する）は、最初に作成すべきウインドウ（一番目のタブに対応するＷＥＢページ）について、ＲＡＭに記憶されていて、ユーザから入力された、あるい外部機器から入力されたウィンドウサイズおよび使用すべきコンテンツの指示情報（ファイル識別子および／またはコンテンツのＵＲＬ、コンテンツのウィンドウ中の表示位置）を取得する（ステップＳ１０→Ｓ２０）。なお、この説明のための実施形態では、コンテンツの変倍率はウィンドウサイズから計算される（後述）。
【００４９】
次にＣＰＵは取得したウィンドウサイズのウィンドウイメージ（枠およびスクロールバーなどのイメージ等、枠の中は空白、図３の符号３２参照）をＲＡＭ上で作成する（ステップＳ３０）。
【００５０】
ＣＰＵは作成したウィンドウイメージ内に挿入するコンテンツイメージの変倍率を計算する（ステップＳ４０）。一例としては、単独で表示する際のウィンドウサイズ（図２参照）と一括表示の際のウィンドウサイズ（図３参照）の比率を計算する方法がある。この場合には、複数のコンテンツに共通の変倍率となる。また、また、コンテンツの種類ごとに変倍率の値を変えてもよい。
【００５１】
次に、ＣＰＵは、ＷＥＢページに記載されているコンテンツ情報（格納先のＵＲＬ、単独表示の表示位置、場合によっては、コンテンツの表示サイズ等）の中からＳ３０で作成したウィンドウイメージ内に挿入するコンテンツ、すなわち、Ｓ２０で取得したコンテンツに関するコンテンツ情報を取得する。ついで、ＣＰＵはコンテンツ情報の中の格納先のＵＲＬの示すＷＥＢサーバからコンテンツを取り込み、取り込んだコンテンツのイメージをＳ４０で計算した変倍率で変倍する（ステップＳ５０）。
【００５２】
ＣＰＵは変倍したコンテンツのイメージをＳ３０で作成したウィンドウイメージ（図３の符号３２）内の、指示されたコンテンツの位置に挿入して、１つのタブに対応するウィンドウイメージ全体（枠と枠内部のコンテンツ）をＲＡＭ上で作成する（Ｓ６０）。以下、ＣＰＵは残りのタブに対応するウィンドウについても同様に、図６の処理手順を繰り返し実行して、一括表示用のウィンドウ全体のイメージをＲＡＭ上で作成する。作成した各ウィンドウ全体イメージはタブ順に１つの表示画面内に配置すればよく、これはサムネイルなどの配置と同じ配置方法を使用することができるので、詳細な説明は不要であろう。また、１つのウィンドウ内に表示するコンテンツの配置の位置は単独のＷＥＢページ内の位置と相対的に対応させればよい。
【００５３】
（その他の実施形態）
上述の実施形態では、一括表示するウィンドウに表示するコンテンツはユーザが見やすい大きさを予め定め、それに対応する変倍率で元のＷＥＢページを変倍していた。変倍率を計算せず、コンテンツをウィンドウ内に収める新しい情報処理方法を次に説明する。
【００５４】
図７はその情報処理過程を示す。図７において、４１は一括表示の際にＷＥＢページを表示するための１つのウィンドウを示す。このウィンドウの大きさは上述したように予め指示されている。３２はＷＥＢサーバ１４０から取得した１つのコンテンツ（この場合、文字列）である。１つのウィンドウ内にコンテンツを配置しようとする場合に、そのコンテンツがウィンドウ内に収まりきれない場合（図７の左側の例）には、ウィンドウズ（登録商標）などのオペレーションシステムでは自動的にスクロールバー４４をウィンドウに付加する機能がある。この機能が働いた場合、ウィンドウに関するシステム属性フラグがスクロールバー有りを示す。この性質を利用して、システム属性フラグがスクロールバーなしを示すまで、コンテンツ４２を一定比率で複数回縮小することにより図７の右に示すように１つのウィンドウ内に全ての文字が収まるような縮小の文字列のコンテンツ４３を得ることができる。
【００５５】
この処理を行うための処理手順を図８に示す。  
図８において、Ｓ１００〜Ｓ１２０の処理は図図６のＳ１０〜Ｓ３０と同様である。ＣＰＵはＳ１３０において、ＷＥＢサーバから一括表示に使用する１つのコンテンツを取り込み、初期的に取り込んだコンテンツのイメージをＳ１２０で指示されたウィンドウサイズのイメージとＲＡＭ上で合成する。これにより、コンテンツがウィンドウ内に収まるか否か（コンテンツイメージが許容範囲内か否か）をウィンドウのスクロールバーの有無を示すフラグ情報を調べることにより判定する。
【００５６】
許容範囲内にない場合には、これまでに合成したウィンドウ全体イメージを消去し、同一のコンテンツイメージを所定比率で少しく縮小してウィンドウイメージ内配置する（Ｓ１４０）。このようにして、ステップＳ１３０でコンテンツが許容範囲内であるとの判定が得られた後は、その大きさに固定してコンテンツイメージを表示する（Ｓ１５０）。
【００５７】
このような情報処理方法を実行すると、ディスプレイの表示画面で一括表示を行なう場合には、最初の表示では、図７の左に示すように文字列がウィンドウよりもはみ出るが、すぐに図７の右に示すようにユーザが見やすい表示に切り替わる。その時間は、１秒よりもさらに小さい時間であるので、ユーザはその変化を目視確認することはない。
【００５８】
以上説明したように、上述した実施形態によれば、タブに対応するウィンドウのサイズおよびそのウィンドウ内に表示するコンテンツを選択することができるので、一括表示される複数のＷＥＢページの各々がユーザにとって見やすいものとなる。
【００５９】
（さらに他の実施形態）
１）上述の実施形態ではウィンドウサイズ、一括表示で使用するコンテンツ、その変倍率および変倍したコンテンツのイメージの表示位置を指示している。しかしながら、これらの指示を互いに関連付けることができる。たとえば、ウィンドウサイズ指示手段２００により指示されたウィンドウサイズが所定のウィンドウサイズより小さい場合には、コンテンツ指示手段２１０により指示された動画コンテンツをウィンドウに全画面表示し（この場合、コンテンツの位置はウィンドウの中心）、指示されたウィンドウサイズが所定のウィンドウ画面より大きい場合には、指示された動画コンテンツをコンテンツ位置指示手段２６０により指示された位置（中央とは異なる位置）で表示するというような表示方法を採ることもできる。このような場合には、所定のウィンドウサイズ、および全画面表示するコンテンツの種類、全画面表示ではない場合のコンテンツのウィンドウ中の（表示）位置を示す（位置）情報をテーブルの形態で、タブブラウザに引き渡せばよい。タブブラウザを実行する情報処理手段２２０（ＣＰＵ）は、指示されたウィンドウサイズと上記所定サイズを比較して、全画面表示するか否かを判定し、その判定結果に応じて全画面表示および指定位置での表示それぞれに対応するコンテンツのイメージを変倍して、一括表示用のコンテンツのイメージをＲＡＭ上で作成する。タブブラウザへのこれら指示情報の引渡し方法は、ＷＥＢページに記載しておく方法やＵＲＬ情報の中に位置情報を含める方法など図４の指示手段の実施形態で説明した方法を採ることができる。
【図面の簡単な説明】
【００６０】
【図１】本発明実施形態の全体システム構成を示すブロック図である。
【図２】本発明実施形態の一括表示前の表示例を示す説明図である。
【図３】本発明実施形態の一括表示後の表示例を示す説明図である。
【図４】本発明実施形態の、タブブラウザを搭載したパソコンの機能構成を示すブロック図である。
【図５】本発明実施形態の一括表示のための分割ページ配置を説明するための説明図である。
【図６】本発明実施形態のタブブラウザに係わるパソコンの処理手順を示すフローチャートである。
【図７】本発明実施形態の処理内容を説明するための説明図である。
【図８】本発明実施形態のタブブラウザに係わるパソコンの他の処理手順を示すフローチャートである。
【符号の説明】
【００６１】
１００  パソコン
１１０  一般公衆電話回線
１２０  通信サーバ
１３０  インターネット
１４０  ＷＥＢサーバ
【図１】
2007122380.tif 000003
【図２】
2007122380.tif 000004
【図３】
2007122380.tif 000005
【図４】
2007122380.tif 000006
【図５】
2007122380.tif 000007
【図６】
2007122380.tif 000008
【図７】
2007122380.tif 000009
【図８】
2007122380.tif 000010